(57)【要約】      （修正有）【課題】装置の防水防塵と温度上昇を抑制する通気性を両立できる防水防塵通気栓を提供する。【解決手段】防水防塵通気栓は、栓体１と防水通気体２とを含む。栓体の中空柱体内１１には下部に貫通する通気穴１１０を形成し、中空柱体の外表面には固定部１１１を設け、中空柱体上部のキャップ１２内には通気通路１２０を形成し、通気通路の少なくとも一つの端部にはキャップ外表面に露出する開口１２０１を備え、通気穴と通気通路の間には防水通気体２を設ける。防水通気体は金属材質を用いて粉末冶金法で製作したもので、その内部には空気分子より大きいが水分子より小さい複数の微小の隙間を備え、栓体の中空柱体を予設装置の外殻体の貫通孔に挿入した後は、複数の微小の隙間が水分子及び塵埃粒子を遮断するが、外殻体内外の空気は流通可能となる。【選択図】図２
0003185871.tif 000002
【実用新案登録請求の範囲】
【請求項１】
栓体と防水通気体とを含む防水防塵通気栓において、
前記栓体は、予設装置の外殻体の貫通孔に挿入する中空柱体を備え、該中空柱体内には下部に貫通し予設装置内部に繋がる通気穴を形成し、中空柱体の外表面には予設装置の外殻体に固定する固定部を設け、中空柱体上部には予設装置の外殻体の外側に位置するキャップを設け、該キャップ内には通気通路を形成し、尚且つ該通気通路の少なくとも一つの端部にはキャップ外表面に露出し外部に繋がる開口を備え、
前記防水通気体は金属材質を用いて粉末冶金法で製作したものであり、尚且つ防水通気体内部には空気分子より大きいが水分子より小さい複数の微小の隙間を備え、該防水通気体は栓体の通気穴と通気通路の間に位置し、尚且つ通気通路の少なくとも一つの端部にはキャップ外表面に露出し外部に繋がる開口を備えることを特徴とする防水防塵通気栓。
【請求項２】
前記栓体の中空柱体及びキャップは一体成形方式で製作することを特徴とする請求項１に記載の防水防塵通気栓。
【請求項３】
前記栓体のキャップの上表面には窪んだ噛合溝を設けることを特徴とする請求項１に記載の防水防塵通気栓。
【請求項４】
前記栓体の固定部は外ねじ山、ホゾ、凸体、或いは凹体であることを特徴とする請求項１に記載の防水防塵通気栓。
【請求項５】
前記栓体の中空柱体の上端には上部体を設け、尚且つ中空柱体の通気穴上部には上部体を通りキャップの通気通路に繋がる貫通穴を設け、防水通気体は貫通穴内に位置し、キャップは上部体上部に位置することを特徴とする請求項１に記載の防水防塵通気栓。
【請求項６】
前記栓体の中空柱体及びキャップは別々に製作し、尚且つキャップは、ホゾを使った嵌着、接着剤による接合、半田付け、或いは嵌合等方法で中空柱体の上部に定位することを特徴とする請求項１に記載の防水防塵通気栓。
【請求項７】
前記防水通気体は、熱接着、超音波、干渉組立等の方法を用いて貫通穴内に固定することを特徴とする請求項５に記載の防水防塵通気栓。
【請求項８】
前記栓体の中空柱体の通気穴、貫通穴、キャップの通気通路は円形、方形、六角形であることを特徴とする請求項５に記載の防水防塵通気栓。
【請求項９】
前記栓体と予設装置の間には環状の防水ワッシャーを設けることを特徴とする請求項１に記載の防水防塵通気栓。
【請求項１０】
前記防水通気体を製作する金属材質は鉄、ステンレス、銅であることを特徴とする請求項１に記載の防水防塵通気栓。
【考案の詳細な説明】
【技術分野】
【０００１】
本考案は、特に、予設装置上に取り付け、水分や塵埃が予設装置の内部に進入するのを防ぎ、予設装置内外の空気の流通を行なう栓体である防水防塵通気栓を提供する。
【背景技術】
【０００２】
科学技術の進歩に伴い、例えばマシン台、設備、電子機器、電力設備、看板等の多くの装置は戸外或いは水と接触する環境の中に設置する。しかし、電子装置或いは機械装置に拘らず、水分が装置内部に進入してその内部の構成要素に接触すると、ショート、損傷、或いは錆による腐食を起こす。戸外に設置された装置は、塵埃に接触するため、塵埃が装置内部に進入すると、内部の構成要素もショート、損傷、錆による腐食を起こす。よって、一般にはこのような環境中に取り付ける装置には防水設計が施され、外殻の各接合箇所には防水テープ、防水溝等の防水構造を備え、これにより、外部の水分または塵埃が隙間から装置内部に進入できないようにする。
【考案の概要】
【考案が解決しようとする課題】
【０００３】
前記方式は外部の水分または塵埃の装置内部への進入を防ぐことはできるが、多くの装置の内部の構成要素が動作する時、高熱が生じて温度上昇する。外殻の各接合箇所が防水構造によって隔てられているため、内外の空気は流通せず、内部熱の空気が排出されない状況のもと、その内部空気は温度の上昇に伴い体積を膨張させる。内外圧力が異なるため、外殻は熱空気に押され、外殻の各接合箇所には隙間が生まれ、水分或いは塵埃が隙間から装置内部に入り込み、さらに、装置が長時間動作した後は、外殻も長時間、熱空気によって押されるため変形する。また、外殻の接合箇所には固定した隙間が形成されるため、防水及び防塵機能を失い、装置を損傷させる。
【０００４】
よって、いかに公知の問題及び欠点を解決し、装置の防水及び防塵を行ない、尚且つ内外の空気を流通させるかが、本業界に従事する関連メーカーが研究改善を欲する方向性である。
【課題を解決するための手段】
【０００５】
本考案者は、前述の問題と欠点に鑑み、関連資料を収集し、多方面からの評価及び考慮を通して、本業界に従事し積み上げた長年の経験をもとに、試作と修正を繰り返し、ついに、本考案の防水防塵通気栓を誕生させた。
【０００６】
本考案の主な目的は、栓体の中空柱体の通気穴及び上部キャップの通気通路の間に防水通気体を設け、該防水通気体は金属材質を用いて粉末冶金法で製作したもので、その内部には空気分子より大きいが水分子より小さい複数の微小の隙間を備え、防水防塵通気栓を予設装置に取り付けた後、水分子及び水分子より大きい塵埃の粒子は複数の微小の隙間を進入できないが、内外空気は防水通気体を通して流通可能であり、よって、予設装置動作時の内部の熱膨張した空気は防塵通気栓を通して外部に排出され、内外圧力のバランスがとれ、外殻体が力を受けて変形し隙間を形成するのを防いで、継続的に防水、防塵、及び通気効果を実現することにある。
【０００７】
本考案の次の目的は、防水通気体をインサートモールド成形(insert molding)によって、その外部に直接栓体を成形することにより、製造後に加工及び組立作業を行なう必要がなく、製造工程を省くことができ、生産コストの削減と生産速度の加速化という目的を達成することにある。
【０００８】
本考案のもう一つの目的は、栓体の中空柱体外表面のキャップ接近箇所に環状の防水ワッシャーを嵌設するか、或いはキャップ底面に環状の防水ワッシャーを設け、防水ワッシャーを用いて柱体と予設装置の外殻体の間を押圧支持し、栓体を隔てて外殻体との間に形成した隙間によって水分が外殻体内部に進入するのを防ぎ、確実に防水目的を果たすことにある。
【考案の効果】
【０００９】
本考案の防水防塵通気栓には次の効果がある。
１.栓体１は中空柱体１１の通気穴１１０及び中空柱体１１上部のキャップ１２の通気通路１２０の間に防水通気体２を設け、該防水通気体２は金属材質を用いて粉末冶金法により製作し、尚且つ防水通気体２内部には空気分子より大きいが水分子より小さい複数の微小の隙間を備え、また、塵埃の粒子も水分子より大きいため、栓体１を予設装置３の外殻体３１に取り付けた後、水分子と塵埃粒子は複数の微小の隙間から予設装置３内部に進入できないが、内外空気は防水通気体２を通して流通可能であり、よって、予設装置３内部の熱膨張した空気は外部に排出され、外殻体３１が力を受けて変形し隙間を形成するのを防ぐことができる。
２.該防水通気体２はインサートモールド成形(insert molding)によって、その外部に直接栓体１を成形するため、加工及び組立作業を省略することができる。
３.栓体１は中空柱体１１外表面のキャップ１２の接近箇所に環状の防水ワッシャー１３を嵌設するか、或いはキャップ１２底面に環状の防水ワッシャー１３を設け、防水ワッシャー１３を用いて中空柱体１１と予設装置３の外殻体３１の間或いはキャップ１２と外殻体３１の間を押圧支持し、水分が栓体１と外殻体３１の間に形成した隙間を通って外殻体３１内部に進入するのを防ぐ。
【図面の簡単な説明】
【００１０】
【図１】本考案実施例の立体外観図である。
【図２】本考案実施例の側面断面図である。
【図３】本考案使用時の側面断面図である。
【図４】本考案のもう一つの実施例の側面断面図である。
【考案を実施するための形態】
【００１１】
前記目的及び効果を実現する本考案の採用する技術手段及びその構造を完全に理解して戴くために、本考案の好ましい実施例についての図面を用いて、次にその特徴と機能を詳細説明する。
【実施例】
【００１２】
図１〜図３に示すとおり、図中の防水防塵通気栓は栓体１と防水通気体２を含む。
【００１３】
そのうち、前記栓体１には中空柱体１１を備え、中空柱体１１内には下部に貫通する通気穴１１０を形成し、中空柱体１１の外表面には固定部１１１を設け、中空柱体１１の上部にはキャップ１２を設け、そのキャップ１２内には通気通路１２０を形成し、尚且つ通気通路１２０の少なくとも一つの端部にはキャップ１２外表面に露出し外部に繋がる開口１２０１を備える。
【００１４】
前記防水通気体２は金属材質を用いて粉末冶金法で製作したもので、該金属材質は、鉄、ステンレス、或いは銅としてもよく、尚且つ防水通気体２内部には複数の微小の隙間（未図示）を備え、その微小の隙間は空気分子より大きいが水分子より小さく、その防水通気体２は栓体１の通気穴１１０と通気通路１２０の間に位置し、尚且つ防水通気体２は少なくとも二つの表面がそれぞれ通気穴１１０及び通気通路１２０に露出する。
【００１５】
前記キャップ１２は六角形、四角形、円形、或いはその他形状の蓋体であり、尚且つキャップ１２の上表面にはさらに窪んだ噛合溝１２１を設け、該噛合溝１２１は一字形、十字形、米字形、五角形、六角形、或いはその他形状としてもよく、使用者は手或いは手で用いる工具を使って挟み込み或いは取り外しを行なう。尚、その他の修飾及び同等効果の構造変化によるものは全て本考案の実用新案登録請求の範囲内に同様に包含することをここに明記する。
【００１６】
前記栓体１に設けたキャップ１２の通気通路１２０は、中央からキャップ１２の一方側の外表面まで伸びる開口１２０１を備え、キャップ１２の二方側或いは二方側以上の外表面まで伸びる複数の開口１２０１を備え、その通気通路１２０は一字形、十字形、米字形、Ｌ字形、Ｖ字形、Ｋ字形、或いはその他形状としてもよい。尚、その他の修飾及び同等効果の構造変化によるものは全て本考案の実用新案登録請求の範囲内に同様に包含することをここに明記する。
【００１７】
図１、図２、図３に示すとおり、防水防塵通気栓の使用時は、栓体１の中空柱体１１の一端を予設装置３（例えばマシン台、設備、電子機器、電力設備、看板等）の外殻体３１の貫通孔３１１に挿入し、中空柱体１１外表面の固定部１１１を貫通孔３１１に固定し、栓体１のキャップ１２を予設装置３の外殻体３１の外側に位置させると、外部の水分はキャップ１２の開口１２０１を経由して通気通路１２０に進入し、その後、防水通気体２に接触する。防水通気体２内部の複数の微小の隙間が水分子より小さいため、外部の水分は防水通気体２を通して中空柱体１１の通気穴１１０に進入することができない。よって、外部の水分は予設装置３の外殻体３１内部に進入できず、防水効果を発揮し、予設装置３内部の部品が水分に接触して損傷するのを防ぐことができる。しかも、予設装置３は戸外での使用や水に接触する環境の中で、適用性を高め、使用寿命を延ばす目的を達成することができる。
【００１８】
また、予設装置３を使用時、通常高温が発生する。この時、予設装置３内の熱い空気は栓体１に設けた中空柱体１１の通気穴１１０に進入し、更に防水通気体２内部の空気分子より大きい複数の小さな隙間を経過して、キャップ１２の通気通路１２０に進入する。さらに、開口１２０１を経て外部に排出され、尚且つ外部の冷たい空気もまた前記の逆の経路を通り予設装置３内に進入する。このようにして、予設装置３の内部の温度を低下させる。また、予設装置３内部の熱膨張した空気は防塵通気栓を介して外部に排出されるため、予設装置３の外殻体３１内外の圧力のバランスをとり、外殻体３１が力を受けて変形し隙間を生じさせるのを防ぎ、防水機能の作用を持続させ、使用寿命を延長させる目的を果たす。
【００１９】
前記栓体１に備える中空柱体１１の固定部１１１は外ねじ山、ホゾ、凸体或いは凹体等の構造としてもよく、栓体１は固定部１１１を用いて螺着、嵌着、半田固定等の方法で予設装置３の貫通孔３１１に定位し、貫通孔３１１が栓体１を固定できない場合、組み合わせの部品（ナットまたは嵌着体等）を用いて、栓体１を予設装置３の外殻体３１に固定し、それはただ栓体１を定位させるか固定する機能を備えるだけでよい。尚、これは本考案の実用新案登録請求の範囲に制約を加えるものではなく、その他の修飾や同等効果を有する構造変化によるものは、本考案の実用新案登録請求の範囲内に包含されることを明記する。
【００２０】
図１〜図４に示すとおり、図中の栓体１の中空柱体１１の上端にはさらに上部体１１２を設け、尚且つ中空柱体１１の通気穴１１０上部には上部体１１２を通りキャップ１２の通気通路１２０に繋がる貫通穴１１０１を設け、該貫通穴１１０１内には防水通気体２を取り付け、そのキャップ１２は上部体１１２上部に位置する。前記中空柱体１１及びキャップ１２は一体成形方式で製作し、尚且つ中空柱体１１及びキャップ１２は別々に製作し、ホゾを使った嵌着、接着剤による接合、半田付け、或いは嵌合等方法でキャップ１２を上部体１１２上部に組み合わせて定位させ、尚且つ防水通気体２はインサートモールド成形(insert molding)でその外部に直接栓体１を成形するか、熱接着、超音波、干渉組立(Interference assembly)等の方法を用いて防水通気体２を貫通穴１１０１内に固定する。好ましいその実施方式はインサートモールド成形(insert molding)により製作し、余分な加工及び組立工程が不要であるため、生産コストを抑え、生産速度を高めることができる。前述した簡易修飾及び同等効果を有する構造変化は全て本考案の特許範囲内に包含されることをここに明記する。
【００２１】
前記中空柱体１１の通気穴１１０と貫通穴１１０１、キャップ１２の通気通路１２０は円形、方形、六角形、或いはその他形状としてもよく、尚且つ防水通気体２は貫通穴１１０１の形状と同様とするか異なる形状とし、それは単に通気穴１１０、貫通穴１１０１、及び通気通路１２０のみを備え、単に空気の流通機能を果たすのみでよい。しかも防水通気体２には通気穴１１０と通気通路１２０を隔離する機能を備えるのみでよい。これは本考案の実用新案登録請求の範囲に制約を加えるものではなく、その他の修飾及び同等効果を有する構造の変化はすべて本考案の実用新案登録請求の範囲内に包含することをここに明記する。
【００２２】
また、図１〜図３に示すとおり、図中の栓体１と予設装置３の間には防水ワッシャー１３を設け、中空柱体１１外表面のキャップ１２の近接箇所には防水ワッシャー１３を設けるか、キャップ１２底面には防水ワッシャー１３を設け、栓体１の中空柱体１１を予設装置３の貫通孔３１１に挿入し、尚且つ固定部１１１を用いて固定した後、防水ワッシャー１３が中空柱体１１と予設装置３の外殻体３１の間或いはキャップ１２と外殻体３１の間を押圧支持するため、水分が栓体１と外殻体３１の間に形成された隙間を通って外殻体３１内部に進入するのを防ぐことができ、確実な防水目的が達成される。
【００２３】
前記本考案の防水防塵通気栓を実際に使用する場合、次のような各種長所がある。
【００２４】
１.栓体１は中空柱体１１の通気穴１１０及び中空柱体１１上部のキャップ１２の通気通路１２０の間に防水通気体２を設け、該防水通気体２は金属材質を用いて粉末冶金法により製作し、尚且つ防水通気体２内部には空気分子より大きいが水分子より小さい複数の微小の隙間を備え、また、塵埃の粒子も水分子より大きいため、栓体１を予設装置３の外殻体３１に取り付けた後、水分子と塵埃粒子は複数の微小の隙間から予設装置３内部に進入できないが、内外空気は防水通気体２を通して流通可能であり、よって、予設装置３内部の熱膨張した空気は外部に排出され、外殻体３１が力を受けて変形し隙間を形成するのを防ぐことができる。
【００２５】
２.該防水通気体２はインサートモールド成形(insert molding)によって、その外部に直接栓体１を成形するため、加工及び組立作業を省略することができる。
【００２６】
３.栓体１は中空柱体１１外表面のキャップ１２の接近箇所に環状の防水ワッシャー１３を嵌設するか、或いはキャップ１２底面に環状の防水ワッシャー１３を設け、防水ワッシャー１３を用いて中空柱体１１と予設装置３の外殻体３１の間或いはキャップ１２と外殻体３１の間を押圧支持し、水分が栓体１と外殻体３１の間に形成した隙間を通って外殻体３１内部に進入するのを防ぐ。
【００２７】
以上のとおり、本考案の防水防塵通気栓は主に、栓体１及び防水通気体２を含み、該栓体１には中空柱体１１を備え、中空柱体１１内には下部に貫通する通気穴１１０を形成し、中空柱体１１上部にはキャップ１２を設け、そのキャップ１２内には通気通路１２０を形成し、尚且つ通気通路１２０の少なくとも一つの端部にはキャップ１２外表面に露出し外部に繋がる開口１２０１を備え、通気穴１１０と通気通路１２０の間には防水通気体２を設け、尚且つ通気通路１２０の少なくとも一つの端部にはキャップ１２外表面に露出し、外部に繋がる開口１２０１を備える。該防水通気体２は金属材質を用いて粉末冶金法で製作し、該金属材質は、鉄、ステンレス、或いは銅としてもよく、尚且つ防水通気体２内部には複数の微小の隙間（未図示）を備え、その微小の隙間は空気分子より大きいが水分子より小さく、防水、防塵、及び通気効果を果たすことが実用新案保護の主なポイントである。但し、以上は本考案の好ましい実施例を述べただけであり、本考案の実用新案登録請求の範囲に制約を加えるものではないため、本考案の説明書及び図面の内容に述べた簡易修飾及び同等効果を有する構造変化は全て本考案の実用新案登録請求の範囲内に包含することをここに明記する。
【００２８】
前述をまとめると、本考案の防水防塵通気栓を使用する際は、確実にその効果及び目的を実現できるため、本考案は実用性に優れた創作であり、実用新案の出願要件に符合するものであることが理解される故、ここに法に依拠し出願を行なう。審査委員の方々には一日も早く本考案を批准して戴くことで考案者の辛苦の創作を保障して戴けることをお願い申し上げます。いずれかの疑問が生じた場合には遠慮なく書類により御指示下さい。本考案者は極力貴庁の提案に沿うよう尽力いたします。
【符号の説明】
【００２９】
１  栓体
１１  中空柱体
１１０  通気穴
１１０１貫通穴
１１１  固定部
１１２  上部体
１２  キャップ
１２０  通気通路
１２０１開口
１２１  噛合溝
１３  防水ワッシャー
２  防水通気体
３  予設装置
３１  外殻体
３１１  貫通孔
【図１】
0003185871.tif 000003
【図２】
0003185871.tif 000004
【図３】
0003185871.tif 000005
【図４】
0003185871.tif 000006